(57)【要約】【課題】生体情報モニターに表示される多くの項目の見落としの可能性が少なくなるように表示部を手元に分離移動でき、手元に移動した表示部にて、医療行為の対象となる目の前の被験者の被験者情報、検査情報等を確認可能とし、情報の追加・修正等も可能な生体情報モニターを提供する。【解決手段】個々の被験者の情報を収集し表示する生体情報モニターの表示部を分離移動可能とし、手元で目の前の被験者の多くの生体情報を確認可能とし、分離表示部は単に表示機能を具備するだけではなく、予め準備した生体情報表示以外の情報参照や診断情報の追加編集機能を実行させることで、目の前の被験者の被験者情報、検査情報、処置内容等を確認可能とすると共に、情報の追加・修正等をも可能とすることを特徴とする分離表示部にて生体情報表示以外の機能を具備可能な生体情報モニター。【選択図】図３
2018042965.tif 000002
【特許請求の範囲】
【請求項１】
計算機内蔵分離表示部で生体情報を表示可能とし、計算機内蔵分離表示部を本体近くから操作者の手元に分離移動を可能としたため、操作者の手元での情報表示・確認を可能とし、且つ、計算機内蔵分離表示部にて生体情報表示以外の情報の参照・カルテ情報の参照・追加・変更機能等を具備可能とすることを特徴とする計算機内蔵分離表示部にて生体情報表示以外の機能を具備可能な生体情報モニター。
【請求項２】
分離表示部に充電池を内蔵するため、充分に充電されている状態では、電源ケーブルを外しても分離表示部は機能を持続することが可能となり、
表示情報は無線で入手可能となるために、表示部接続ケーブルが無い状況でも表示する情報・制御情報の伝送を可能とし、
以上２つが可能となるため、分離表示部は、電源ケーブル及び表示部接続ケーブルが無くても機能することを可能としたことで、容易に手元等に移動できるようになり、
手元等での情報表示・確認が可能とすることを特徴とする請求項１に記載の、計算機内蔵分離表示部にて生体情報表示以外の機能を具備可能とした計算機内蔵分離表示部にて生体情報表示以外の機能を具備可能な生体情報モニター。
【請求項３】
生体情報モニターの分離表示部を独立した小型計算機とすることにより、分離表示部は、表示するという本来の生体情報モニターの機能以外の機能の処理を可能とすることを特徴とした請求項１に記載の、計算機内蔵分離表示部にて生体情報表示以外の機能を具備可能な生体情報モニター。
【発明の詳細な説明】
【技術分野】
【０００１】  この発明は、計算機内蔵分離表示部にて生体情報表示以外の機能を具備可能な生体情報モニターに関するものである。
【背景技術】
【０００２】  従来、生体情報モニターは、大別してセンサー部、本体部との二つの部分から成り立つ。この形態が一般的生体情報モニターの構成となる。（図１参照）
この構成の発展形として表示部を大型化し分離表示部として表示部を分離する構成もあり得る。（図２参照）
また、本体部、分離表示部共に充電池を内蔵する可能性のある電源部を必要とするため、電源ケーブルが必要となる。（図１、図２参照）【０００３】  センサー部は生体情報をモニターする被験者に装着され、生体情報の収集を行う。
本体部は、センサー部から本体−センサー部間情報伝達手段を経由して、生体情報を直接受信、或いは無線等の方式で受信し、受信した生体情報の電気信号を処理することを主な目的とし、データ処理、演算、記憶、通信、表示等のデータ処理とバーコード入力、操作入力、メニュー表示、音声入出力、印刷出力、振動出力等の入出力制御等の機能を司る部分である。【０００４】  センサー部は生体情報をモニターする被験者に装着される。
本体部は操作者にとって表示内容が見易い場所に設置される。
即ち、センサー部と本体部は、離れて設置されることが多い。（図１参照）【０００５】  内蔵表示部が、本体部内に内蔵される場合は、本体部内部にて表示部が接続されるため、表示部接続ケーブルは外見からは見えなくなる。（図１参照）
分離表示部は本体部から生体情報を受け取る、或いは本体部に対し本体の制御信号を送出するため、無線などの方式で伝送する場合を除き表示部接続ケーブルが必要となる。（図２参照）【０００６】  生体情報の一部を大きく表示する場合や表示項目が多い場合等には表示部分を大型化して分離表示部として表示部を分離する構成があることは既に記したが、この場合分離表示部には本体部とは別に電源を必要とするため、電源ケーブルが必要である。
（図２参照）
【先行技術文献】
【特許文献】
【０００７】
【特許文献１】
【発明の概要】
【発明が解決しようとする課題】
【０００８】  従来品では、多くの生体情報を一つの表示部に表示していた。また、一般的に、重要な情報、或いは注目すべきと判断されている情報については表示文字を大きくする等の工夫がされていることがあるため、小さな文字で表示されている項目に注目しようとすると、表示部の近くでそれらの情報を観察する必要があった。
即ち、生体情報モニターの表示部の文字の一部が小さい、或いは表示部が目の前にないことが課題であった。（課題１）【０００９】  従来品の分離可能な表示部を持つタイプ（図２参照）では、分離表示部は電源ケーブルが常時接続される。また、多くの場合、本体部と分離表示部とは表示部接続ケーブルにて接続される。
即ち、それらのケーブル等が存在するために、構造的に分離表示部を移動することが難しいことが課題であった。（課題２）（図２参照）【００１０】  生体情報モニターが被験者に使われる状況は、被験者がベッドにいて、診察・処置を施す医師、看護師等の操作者が横になっている被験者のベッドサイドまで行くことが多い。
そのために、この生体情報モニターは、ベッドサイドモニターと呼ばれることもしばしばである。
一般的に、被験者は入院病棟やＩＣＵのような場所にいて、治療や数々の処置を必要とする場合が多い。特に重篤な場合にその生死を監視するためや、被験者の異常を検出するために生体情報モニターは使用されることが多い。
本来、生体情報モニターが備えている機能ではないが、被験者に関する情報を扱う電子カルテ等のシステムでは、診察・処置情報等をシステムに入力する場合、被験者に対して、観察・対話・処置等を行い、その結果の情報をその場で、システムに入力できるのが理想ではあるが、現実は被験者の近くに被験者に関する情報を扱う電子カルテ等のシステムが無い場合が問題であった。
即ち、入力する情報を得られる場所、即ち、被験者がいる場所に入力するシステムが無いために、入力する情報をメモ書きするか全ての情報を記憶し、システムの設置してある場所に移動して、それらの情報をシステムに入力する必要があった。
しかし、メモはあくまでも想い出すためのきっかけとなる言葉を短く書き残すものであり、全ての情報が網羅的に書かれることは少ない。また、記憶は詳細については時間が経つにつれて確度が落ち、記載違いの可能性を高めることとなる。
即ち、生体情報モニターの課題ではなく、電子カルテ等の他システムの課題と言えるが、それら他システムでは、被験者の情報を入力する際、被験者が目の前に居るのに端末が近くにないことが課題であった。（課題３）
【課題を解決するための手段】
【００１１】  従来、生体情報モニターは、生体情報モニター自体の課題に対する解決手段のみを考えられてきたためか上記課題３点を同時に解決することは考えられて来なかった。ここではそれぞれの課題とそれら個々の課題全てを同時に解決する手段について述べる。【００１２】  上記（課題１）を解決するための本発明は、内蔵表示部を計算機内蔵分離表示部とすることにより、本体から分離して移動を可能としたこと。
このことは、計算機内蔵分離表示部を手元に移動することを可能とし、従来小さく表示されていて見難い項目であった生体情報の一部の確認を容易とする。（図３参照）【００１３】  上記（課題２）を解決するための本発明は、計算機内蔵分離表示部に、電源ケーブルと表示部接続ケーブルの２本のケーブルの接続が無くても、本来の機能発揮を可能としたこと。
このことは、計算機内蔵分離表示部は、ケーブルが常時附帯することから解放され、容易に移動が可能となることを意味する。
電源ケーブルを無くする手段は、計算機内蔵分離表示部に充電池を内蔵することにより、充分に充電された状態であれば、通常接続している電源ケーブルを計算機内蔵分離表示部から外しても、本来機能すべき機能を持続させることを可能とした。
また、表示部接続ケーブルを無くする手段は、本体部と計算機内蔵分離表示部間では無線で情報の送受信をすることで、表示部接続ケーブルが無い状態でも、計算機内蔵分離表示部は生体情報の表示が可能となり、計算機内蔵分離表示部から本体部の制御をも可能とした。【００１４】  上記（課題３）を解決するための本発明は、計算機内蔵分離表示部を小型計算機とすることにより、計算機内蔵分離表示部に、生体情報表示以外の電子カルテ等の機能を具備させることを可能としたこと。
【発明の効果】
【００１５】  計算機内蔵分離表示部は手元に持ってこられるため、表示されている多くの情報を網羅的に見ることが容易となり、大切な生体情報を見逃す可能性が低くなる。【００１６】  生体情報の表示部にサイズの選択肢が増える。
計算機内蔵分離表示部は表示機能に重点を置いた計算機そのものであるために、基本ソフトウェアやハードウェアの条件が揃えばどのメーカーのどの形の計算機であっても、生体情報の表示が可能となる。
これは即ち、表示装置の大きさで計算機を選ぶならその計算機の表示部の大きさに依存する計算機内蔵分離表示部となることを意味している。つまり、表示部のサイズにも選択の自由度が拡がることを意味する。【００１７】  計算機内蔵分離表示部は、電源ケーブルと表示部接続ケーブル等のケーブルを外した状態でも、機能を継続させることが可能となる。
このことは、計算機内蔵分離表示部と本体部とを分離可能とすることの実現可能性を高めることとなり、計算機内蔵分離表示部を手元に持って来ることが容易となる。
そのため、表示されている多くの生体情報を手元で確認可能となる。
このことは、従来小さな文字にて表示されていた項目も見逃す可能性が少なくなり、医療ミスに繋がる可能性を低下させることとなる。【００１８】  従来、分離表示部に生体情報を表示するだけの単機能であった分離表示部を計算機内蔵分離表示部とすることで、計算機内蔵分離表示部は生体情報モニター表示以外の電子カルテ等の機能を処理することが可能となるために、被験者の診察・処置の際、わざわざ端末の設置してある場所に行かずとも、被験者に近い位置で生体情報を含む被験者の多くの検査情報等を確認することが可能となり、同時に電子カルテ等の被験者に関する情報を扱うシステムの診察・処置情報等を参照・追加・変更が可能となる。
本発明により、表示している生体情報をメモ書きしたり、記憶したりする等の操作者の力を借りることなく、同一端末の中で他のアプリケーション（システム）に生体情報を渡すことが可能となり、生体情報に関与する操作者の負担を軽減可能とする。
被験者に近い位置で当該被験者のカルテ情報、診断情報、処置情報等の参照・追加・変更が可能となることで、操作者の移動時間が省け、移動の時間内に薄れる記憶を防ぐことが可能となり、診断や処置等の情報の質の向上、信頼性向上が期待できる。
【図面の簡単な説明】
【００１９】
【図１】  従来型機の機器構成図
【図２】  従来型機の分離表示部を持つ機器構成図
【図３】  本発明の機器構成図
【図４】  本発明において計算機内蔵分離表示部を外した場合の本体正面概観図
【図５】  本発明において計算機内蔵分離表示部を外した場合の本体上面概観図
【図６】  本発明において計算機内蔵分離表示部を外した場合の本体右側面概観図
【図７】  本発明において計算機内蔵分離表示部を搭載した場合の本体正面概観図
【図８】  本発明において計算機内蔵分離表示部を搭載した場合の本体上面概観図
【図９】  本発明において計算機内蔵分離表示部を搭載した場合の本体右側面概観図
【図１０】  本発明に類似した分離表示部を持つ従来型機の概観図
【図１１】  本発明に類似した分離表示部を持つ従来型機の概観図
【図１２】  本発明に類似した本体部と分離表示部が一体化した従来型の概観図
【図１３】  本発明に類似した本体部と分離表示部が一体化した従来型で、本体部を分離表示部から外した概観図
【図１４】  本発明に類似した本体部と内蔵表示部を一体化した小型の類似品概観図
【図１５】  本発明に類似した本体部と内蔵表示部を一体化した小型の類似品概観図
【図１６】  本発明に類似した受信機表示部のみの生体情報表示単機能の類似品概観図
【図１７】  本発明に類似したキーボード接続分離可能型タブレット概観図
【図１８】  本発明に類似したキーボード接続分離可能型タブレット概観図
【図１９】  本発明に類似したセントラルモニター概観図
【発明を実施するための形態】
【００２０】  生体情報モニター本体部（２）近くに、計算機内蔵分離表示部（５）を設置できることで、生体情報モニター本体部（２）内部に内蔵表示部（３）を持つ場合と比べ、計算機内蔵分離表示部（５）は求められる大きさの画面の選択が可能となる。
この計算機内蔵分離表示部（５）は、使用する計算機のサイズを選ぶことで、様々な大きさの計算機内蔵分離表示部（５）の選択が出来るため、本装置の使用目的や使用場所等の条件により、大きさの異なる計算機内蔵分離表示部（５）に変更することが容易となる。
【００２１】  計算機内蔵分離表示部（５）は、生体情報モニター本体部（２）近くから容易に離すことが可能な構造とする。
生体情報モニター本体部（２）近くから分離して手元に移動した計算機内蔵分離表示部（５）では、操作者の手元で、多くの生体情報が確認可能となる。
計算機内蔵分離表示部（５）の設置場所は、生体情報モニター本体部（２）からの電波が届く範囲内であれば、必要な情報の表示や生体情報モニター本体部（２）の制御が可能であるため、生体情報モニター本体部（２）に極々近い位置に設置する必要は無く、装置の設置環境、操作環境に柔軟に対応可能な位置に設置が可能となる。
【００２２】  生体情報モニター本体部（２）近くから分離して手元に移動した計算機内蔵分離表示部（５）は、操作者の手元で、多くの生体情報が確認可能となる。そのため、操作者にとって多くの項目の生体情報の確認が容易な環境が提供可能となる。
【００２３】  生体情報モニター本体部（２）近くから分離して手元に移動した計算機内蔵分離表示部（５）では、予め用意した生体情報モニター情報表示以外の機能を稼働させることで、被験者の間近で被験者に関する診察・処置の情報を直ちに入力することや、診察・処置情報等の被験者の諸データを参照可能な環境が提供可能となる。
これは、従来、医師や看護師に強いていたメモ書き、記憶等の労力を省くこととなると同時に、入力する情報に時間差を少なくすることができるため、信頼性の高い情報収集、信頼性の高い医療の提供が可能となる。
【００２４】  本発明は以上の構造、機能を有し、本発明を使用する際には下記のような運用を行う。
【００２５】  先ずは、計算機内蔵分離表示部（５）のサイズを決定する。
即ち、重篤な被験者の場合、大きい画面に生体情報を表示することが必要であったり、表示される波形の関心領域が明確に観測できるような大きな画面が必要な場合は、その要求度合いに応じたサイズの計算機内蔵分離表示部（５）を準備し、生体情報モニター本体部（２）と連動させて稼働させることで、要求に応じたサイズの画面を目的の被験者近くに設置することが可能となる。
また、被験者の重篤度が低く、万が一の場合の異常監視のみが生体情報モニター使用の目的の場合、小さな画面の計算機内蔵分離表示部（５）を準備し、生体情報モニター本体部（２）と連動させて稼働させることで、要求に応じたサイズの画面を目的の被験者近くに設置することが可能となる。
【００２６】  被験者のところに医師や看護師等の操作者が来て計算機内蔵分離表示部（５）を操作する場合、先ず、本来の生体情報の観察を行う。これだけで生体情報モニターとしての本来の目的は達せられるが、その際何等かの所感を感じた場合、その内容を電子カルテや、看護支援システム等に記録を残す必要がある。
しかし、生体情報だけでも、体温、脈拍数、呼吸数、呼吸の深さ・滑らかさの状態、血圧（収縮期血圧・拡張期血圧）、意識レベル、血中飽和酸素濃度等が存在し、全ての情報を覚えることは難しい。そのために、メモ用紙や皮膚にメモする等の方法で記録する。
従来であれば記録されたそれらの情報を、それらを扱うシステムの端末が置いてある場所まで移動して、記録したメモの情報を見ながら入力することになる。しかし、数値だけならメモから完全に転記記録、入力することも可能だろう。しかし、状態の表現等メモに残し難い場合、被験者の位置から端末の位置まで移動する間に、記憶は希薄となる。同時に、移動中に同僚等と他の被験者の状態や、勤務の状況等の会話を交わすことで、記憶は益々希薄となり、混乱を招くことは明白である。
上記のような従来の環境で、電子カルテ等の被験者に関する情報を入力する場合、本発明の計算機内蔵分離表示部（５）にて生体情報表示以外の機能を具備可能な生体情報モニターを使うと、次のような操作となる。
操作者は、計算機内蔵分離表示部（５）を分離し手に持つ。続いて、被験者の情報を入力するシステムを計算機内蔵分離表示部（５）上で起動し、当該被験者のカルテのページを開く。開いたカルテのページに、多くの生体情報を転記する。続いて、被験者と会話をしながら、診断、所見等を入力する。
このように、被験者を目の前にして、被験者の情報を入力することになるため、記憶違い、メモの見誤り等の間違いの可能性を下げることが可能となる。
【００２７】  本発明とは似て非なるものを下記パターン毎に記すことで、本発明の理解を深める一助とする。
【００２８】  パターン１（図１０，図１１参照）
本体部（２）と分離表示部（４）との組合せによる類似品である。
表示部が分離しているため本発明と同じであるかのように見えるが、この場合の分離表示（４）は単なる表示装置であり、計算機としての機能を持たないため、生体情報表示以外の機能の実現は不可能である。この点が、本発明と異なる。
また、表示部が大きな表示装置であることや、電源ケーブル（８）、表示部接続ケーブル（７）等があるために操作者の近くに設置することが容易ではない点で、本発明と異なる。
また、同様に表示部が大きな表示装置であること、電源ケーブル（８）、表示部接続ケーブル（７）等があり、邪魔になるために操作者の近くに移動が難しい点が本発明と異なる。
【００２９】  パターン２（図１２、図１３参照）
本体部（２）と分離表示部（４）を持ち、且つ、本体部（２）と分離表示部（４）は無線で情報伝送が可能な点は、本発明（図３）に酷似しているように見える。
しかし、大きな分離表示部（４）の一部として組み込める本体部（２）という構造のため、大きな分離表示部（４）は電源ケーブル（８）が外せず、移動が難しい点で、本発明と異なる。
また、分離表示部（４）は生体情報表示以外の機能を実行することができないという点で、本発明と異なる。
【００３０】  パターン３（図１４、図１５参照）
センサー部（１）と表示窓を内蔵一体化した本体部という構成の小型の類似品。
この場合、表示部を内蔵一体化して本体部を小型化したために、手元に移動して表示窓を確認することは可能ではあるが、小型であるため表示窓に表示できる情報には限りがある。
即ち、本発明と似てはいるが、本発明では必要な全項目の表示ができるがこのパターン３の場合、全項目の網羅的表示ができ難い点、或いは、モニターできる項目が限定される等の点、また、小型化した本体部、或いは表示部に生体情報表示以外の電子カルテ等の情報を表示・追加・修正等の機能を実現させることができない点で本発明とは異なる。
【００３１】  パターン４（図１６参照）
表示部のみの単機能の類似品。
表示部だけで構成されるため、本発明の計算機内蔵表示部と似ているかのように見えるが、生体情報収集ができず、収集した情報を処理して表示することの単機能である点で、本発明とは別物である。
また、パターン３の小型の類似品と組合せた場合、本発明（図３）と似ているが、受信機（１０）には受信機表示部（１１）を持ち生体情報を表示できるが、表示のみの単機能という点で、本発明と異なる。
本発明では、生体情報モニターの表示部としての機能だけではなく、電子カルテ等の他の多くの機能を動作させることを前提に考えられているため、このパターン４も、本発明とは別の発想と捉えられる。
【００３２】  パターン５（図１７、図１８参照）
キーボード分離型（接続可能型）タブレット。
キーボードを分離した表示部は汎用タブレットであり、タブレットの機能、環境そのものを計算機内蔵表示部としている点で、新規性を主張するものではない。その基本ソフト上で動作する生体情報表示機能を具備することで、計算機内蔵分離表示部（５）となる点、及び、全体としては、計算機内蔵分離表示部（５）を含む生体情報モニターである点が本発明であり、ここに新規性を主張するものである。
【００３３】  パターン６（図１９参照）
従来型の生体情報モニターのセントラルモニター（１５）。
複数の従来型の生体情報モニターは、各々の被験者（１７）毎に設置され、被験者（１７）からは、センサー部（１）にて生体情報を収集する。
これらの複数の生体情報モニター本体部（２）からセントラルモニター向け生体情報無線伝送（１６）経由にて無線送出される生体情報を受信して一つの表示装置に表示するセントラルモニター（１５）が存在するが、そのセントラルモニター（１５）は、多数の被験者（１７）をまとめて監視できるようにナースステーション等に設置され、無線にて受診した複数の被験者（１７）の生体情報を１箇所に表示することができる。
生体情報モニター本体部（２）からセントラルモニター（１５）までは、生体情報を電波で伝送する。
生体情報を電波で伝送するという点では、本発明の本体部（２）から計算機内蔵分離表示部（５）に電波等で情報を伝送するという点では同様ではある。しかし、生体情報を伝送した先のセントラルモニター（１５）では、受信した生体情報を表示するだけの機能しか持ち合わせていない。
本発明の計算機内蔵分離表示部（５）では、生体情報表示以外の電子カルテ等の情報を扱う機能等を具備可能である点がこのパターン６のセントラルモニター（１５）とは異なるものである。
【符号の説明】
【００３４】  １      センサー部
２      本体部
３      内蔵表示部
４      分離表示部
５      計算機内蔵分離表示部
６      本体−センサー部間情報伝達手段
７      表示部接続ケーブル
８      電源ケーブル
９      表示部情報無線伝送
１０      受信機
１１      受信機表示部
１２      計算機本体
１３      無線キーボード
１４      表示部用架台
１５      セントラルモニター
１６      セントラルモニター向け生体情報無線伝送
１７      被験者
【図１】
2018042965.tif 000003
【図２】
2018042965.tif 000004
【図３】
2018042965.tif 000005
【図４】
2018042965.tif 000006
【図５】
2018042965.tif 000007
【図６】
2018042965.tif 000008
【図７】
2018042965.tif 000009
【図８】
2018042965.tif 000010
【図９】
2018042965.tif 000011
【図１０】
2018042965.tif 000012
【図１１】
2018042965.tif 000013
【図１２】
2018042965.tif 000014
【図１３】
2018042965.tif 000015
【図１４】
2018042965.tif 000016
【図１５】
2018042965.tif 000017
【図１６】
2018042965.tif 000018
【図１７】
2018042965.tif 000019
【図１８】
2018042965.tif 000020
【図１９】
2018042965.tif 000021